(57)【要約】【課題】スリットを開きにくくして気密性を向上させることができるダックビル弁を提供する。【解決手段】  先端側から基端方向への流体の流動を規制するダックビル弁１において、円筒形の本体部１１と、該本体部１１の先端から所定の間隔を存した内周面に設けられ、基端側から先端方向に向けて、先端が収束するように傾斜して延びる一対の傾斜部１４と、両傾斜部１４の先端が接すること形成される開閉可能な直線状のスリット１５と、前記本体部１１の外周面に設けられ、該本体部１１の軸線に沿って延びる突起部１３と、前記本体部１１の内周面のうち該突起部１３と対向する位置から前記傾斜部１４まで延びるリブ１６とを備える。【選択図】  図2
2018096436.tif 000002
【特許請求の範囲】
【請求項１】
先端側から基端方向への流体の流動を規制するダックビル弁において、
円筒形の本体部と、
該本体部の先端から所定の間隔を存した内周面に設けられ、基端側から先端方向に向けて、先端が収束するように傾斜して延びる一対の傾斜部と、
両傾斜部の先端が接することにより形成される開閉可能な直線状のスリットと、
前記本体部の外周面に設けられ、該本体部の軸線に沿って延びる突起部と、
前記本体部の内周面のうち該突起部と対向する位置から前記傾斜部まで延びるリブとを備えることを特徴とするダックビル弁。
【請求項２】
請求項１記載のダックビル弁であって、
前記リブは、前記スリットの長手方向の中央部に向かって延びることを特徴とするダックビル弁。
【請求項３】
請求項１または請求項２に記載のダックビル弁であって、
前記リブは、先端側からみて、前記スリットを介して対称に設けられていることを特徴とする。
【請求項４】
請求項１記載のダックビル弁であって、
前記リブは、先端側からみて、前記スリットの長手方向の中央部から放射状に延びるよう複数設けられ、隣接する各リブは互いに所定角度を存して配置されることを特徴とするダックビル弁。
【発明の詳細な説明】
【技術分野】
【０００１】
本発明は、ダックビル弁に関する。
【背景技術】
【０００２】
従来、腹腔鏡下手術においては、腹腔鏡や手術器具を腹腔内に挿入するための入口としてトロカーの外套管が腹壁に設置される。外套管の設置は、外套管に内針をセットしたトロカーを腹壁に穿刺し、内針を引き抜くことにより行われる。このようにして腹壁の複数個所に設置されたトロカーの外套管を経て腹腔鏡や処置具等の器具が腹腔内に挿入され、手術箇所の観察や処置が行われる。
【０００３】
この腹腔鏡下手術手術では、腹腔内の作業領域を確保する目的で、腹腔内に穿刺したトロカーを介して炭酸ガスを送気し、腹腔内を気服させて手技を行う。この送気された炭酸ガスの流出を防止するために、外套管の器具挿入口を気密に保持する必要がある。
【０００４】
そのため、該外套管の器具挿入口には、逆止弁としてダックビル弁が内蔵されることがある。
【０００５】
従来、この種のダックビル弁として、基端側から先端に向けて収束するように延出した一対の傾斜したリップ面と、該リップ面先端の合せ面に直線状のスリットとを備えてなる、先端側から基端方向への流体の流動を規制するダックビル弁において、前記スリットに直交する位置に、一対のリップ面に直立、かつ、対向させて、前記リップ面先端近傍からリップ面外周近傍まで翼状に拡がる柔軟なシート状のリブを複数対並列して備えたものが知られている（例えば、特許文献１参照）。
【０００６】
このダックビル弁は、該ダックビル弁を収納するトロカーの外套管の内壁に前記リブが当接する。これにより、該リブが、外套管の内壁からの反力をスリット面に伝達することでスリットを開きにくくして気密性を向上させることができる。
【先行技術文献】
【特許文献】
【０００７】
【特許文献１】特開２０１０−２７０８００号公報
【発明の概要】
【発明が解決しようとする課題】
【０００８】
しかしながら、従来のダックビル弁のリブは柔軟なシート状であるため、トロカーの外套管に収納した際に、該外套管の内壁に押されてリブが折れ曲がってしまい、反力をスリットに充分に伝達しきれないという不都合がある。
【０００９】
本発明は、かかる不都合を解消して、外套管の内壁からの反力をスリットに確実に伝達することで、スリットを開きにくくして気密性を向上させることができるダックビル弁を提供することを目的とする。
【課題を解決するための手段】
【００１０】
かかる目的を達成するために、本発明のダックビル弁は、先端側から基端方向への流体の流動を規制するダックビル弁において、円筒形の本体部と、該本体部の先端から所定の間隔を存した内周面に設けられ、基端側から先端方向に向けて、先端が収束するように傾斜して延びる一対の傾斜部と、両傾斜部の先端が接することにより形成される開閉可能な直線状のスリットと、前記本体部の外周面に設けられ、該本体部の軸線に沿って延びる突起部と、前記本体部の内周面のうち該突起部と対向する位置から前記傾斜部まで延びるリブとを備えることを特徴とする。
【００１１】
本発明のダックビル弁は、トロカーの外套管に収納されたとき、本体部の外周面に軸線に沿って突起部が設けられているため、外套管の内壁からの反力が生じる。このとき、前記本体部の内周面のうち該突起部と対向する位置から前記傾斜部までリブが設けられているため、前記反力はスリットに伝達される。
【００１２】
また、前記リブは本体部の内周面と傾斜部との両方に支持されているため、外套管の内壁からの反力によって折れ曲がることを防止することができる。
【００１３】
従って、本発明のダックビル弁によれば、外套管の内壁からの反力をスリットに確実に伝達することで、スリットを開きにくくして気密性を向上させることができる。
【００１４】
また、本発明のダックビル弁において、前記リブは、前記スリットの長手方向の中央部に向かって延びることが好ましい。
【００１５】
これによれば、外套管の内壁からスリットの中心に向けて、スリットを閉じる方向に力が伝達されるため、スリットをより開きにくくして気密性を向上させることができる。
【００１６】
また、本発明のダックビル弁において、前記リブは、先端側からみて、前記スリットを介して対称に設けられていることが好ましい。
【００１７】
これによれば、外套管の内壁からスリットに対して対称にスリットを閉じる方向に力が伝達されるため、スリットをより開きにくくして気密性を向上させることができる。
【００１８】
また、本発明のダックビル弁において、前記リブは、先端側からみて、前記スリットの長手方向の中央部から放射状に延びるよう複数設けられ、隣接する各リブは互いに所定角度を存して配置されることが好ましい。
【００１９】
これによれば、リブは、スリットの中心から等間隔の放射状に設けられるため、外套管の内壁全周からスリットの中心に向けて、スリットを閉じる方向に力を均等に伝達させることができるので、スリットをより開きにくくして気密性を向上させることができる。
【図面の簡単な説明】
【００２０】
【図１】本実施形態に係るダックビル弁が取り付けられたトロカーの一部断面図。
【図２】本実施形態に係るダックビル弁の説明的斜視図。
【図３】図１のトロカーのＡ−Ａ線断面図。
【発明を実施するための形態】
【００２１】
次に、添付の図面を参照しながら本発明の実施の形態についてさらに詳しく説明する。
【００２２】
ダックビル弁１は、図１に示すように、トロカーの外套管２に内蔵されるものである。
【００２３】
トロカーは、腹壁又はシングルポート法におけるメインポートに設置される外套管２と、外套管２の設置に際して外套管２に挿入される内針（図示せず）とを備える。
【００２４】
外套管２は円筒状の器具挿入口２１を構成するヘッド部２２と、器具挿入口２１から挿入された器具を案内する挿入管部２３を備える。ダックビル弁は、このヘッド部２２に器具挿入口２１から挿入することで、器具挿入口２１を開閉自在とする。
【００２５】
図２に示すように、ダックビル弁１は、概略円筒状の本体部１１を有する。本体部１１の基端部には、本体部１１の軸線から離れる方向に拡径する鍔部１２が設けられている。
【００２６】
本体部１１の外周面には、突起部１３が設けられている。本実施形態においては、各突起部１３は、本体部１１の軸線に沿って、鍔部１２から本体部１１の先端まで設けられている。また、各突起部１３は、図２に示すように径断面において略半円状であり、その幅（直径）は、後述するリブの幅より大になっている。また、突起部１３は、周方向において均等に９０°で離間して４個設けられている。
【００２７】
図１及び図２に示すように、ダックビル弁の内周面には、一対の傾斜部１４，１４が設けられている。図１に示すとおり、傾斜部１４は、本体部１１の先端と基端とに挟まれる領域から、夫々先端方向に向けて両傾斜部１４，１４の先端が収束するように傾斜して延びている。本実施形態の傾斜部１４の先端縁は、本体部１１の先端縁と面一に形成されている。
【００２８】
また、図２に示すように、傾斜部１４は略半円の膜状部材であり、該半円の外周縁が本体部１１の内周に支持されている。
【００２９】
そして、両傾斜部１４，１４の先端が接することで、開閉自在な直線状のスリット１５が形成されている。
【００３０】
また、図２に示すように、ダックビル弁１の内周面には、リブ１６が設けられている。リブ１６は、ダックビル弁１の内周面と傾斜部１４とに支持され、先端縁が本体部１１の先端縁と面一に形成された直角三角形状の板状部材である。リブ１６は、本体部１１を挟んで、突起部１３と対向する位置からスリット１５の長手方向の中央部まで延設されている。
【００３１】
リブ１６は、周方向において均等に９０°で離間して４個設けられている。また、スリット１５と隣接する各リブ１６は、スリット１５の長手方向の中央部において、夫々４５°で交わっている。
【００３２】
以上のダックビル弁１は、鉗子などのデバイスを挿入時にスリット１５が追従する軟質材料で形成され、例えば、シリコンゴムやエラストマーなどを用いることができる。
【００３３】
図３に示すように、ダックビル弁１の本体部１１は、外套管２のヘッド部２２の内部に収納可能な直径を有している。他方、突起部１３は該本体部１１から径方向外側に突出しているため、ダックビル弁１をヘッド部２２の内部に挿入すると、突起部１３はヘッド部２２の内壁を押圧する。
【００３４】
このとき、ヘッド部２２は、ダックビル弁１より硬質な材料で形成されているため、突起部１３がヘッド部２２の内壁を押圧した反力が、リブ１６を介してダックビル弁１に伝達される。
【００３５】
具体的には、突起部１３と対向する位置にリブ１６が設けられ、該リブ１６は、スリット１５の長手方向中央部に向かって延びているため、ダックビル弁１によれば、上記反力をスリット１５の中央部に伝達することができる（図３の矢印参照）。
【００３６】
特に、ダックビル弁１では、リブ１６は本体部１１の内周面と傾斜部１４との両方に支持されているため、ヘッド部２２の内壁からの反力によって折れ曲がることを防止することができる。従って、ダックビル弁１によれば、前記反力をスリットに確実に伝達することができる。
【００３７】
そして、ダックビル弁１では、４つのリブ１６が周方向において均等に９０°で離間して設けられているため、ダックビル弁１の全周方向からスリット１５の中央部に向けて、均等に反力を伝達することができる。
【００３８】
従って、ダックビル弁１によれば、ヘッド部２２の内壁からの反力をスリットに確実に伝達することができるので、スリット１５を開きにくくして気密性を向上させることができる。
【００３９】
なお、本実施形態では、突起部１３及びリブ１６は、対称に各４個設けられているが、本発明はこれに限られない。例えば、スリット１５の長手方向中央部に直交するように２個設けてもよく、４個以上設けてもよい。
【００４０】
なお、本実施形態では、各突起部１３は、本体部１１の軸線に沿って、鍔部１２から本体部１１の先端まで設けられているが、本発明はこれに限られず、複数の突起部１３を本体部１１の軸線に沿って不連続に設けてもよく、半球状の突起部が本体部１１の軸線に沿って等間隔に配置してもよい。
【００４１】
なお、本実施形態では、一対の傾斜部１４の先端縁は、本体部１１の先端縁と面一に形成されているが、本発明はこれに限られない。例えば、一対の傾斜部１４の先端縁が本体部１１の先端縁より基端側に位置していてもよい。また、一対の傾斜部１４の先端縁が本体部１１の先端縁より先端側に突出していてもよく、この傾斜部１４のスリット１５の長手方向中央部までリブ１６も延出させて本体部１１の先端縁より先端側に突出するよう構成してもよい。
【００４２】
また、本実施形態では、傾斜部１４は図１に示したように平板状であるが、本発明はこれに限られない。例えば、各傾斜部１４は、図１の断面視において、先端方向に凸に湾曲していてもよく、逆に基端方向に凸に湾曲してラッパ形状にしてもよい。
【００４３】
なお、本実施形態では、リブ１６は、突起部１３と対向する位置からスリット１５の長手方向の中央部まで延設されているが、本発明はこれに限られない。例えば、スリット１５を挟んで線対称に設けられている一対の突起部１３に対向する位置からスリット１５の所定位置に向かって延設してもよい。なお、この場合、各突起部１３と対向する位置からスリット１５の長手方向に夫々直交するように延設するのが好ましい。
【符号の説明】
【００４４】
１…ダックビル弁、１１…本体部、１３…突起部、１４…傾斜部、１５…スリット、１６…リブ。
【図１】
2018096436.tif 000003
【図２】
2018096436.tif 000004
【図３】
2018096436.tif 000005